(57)【要約】【課題】デフェクト状態解消後等における入力信号の読み取りパフォーマンスの向上【解決手段】入力信号からの同期信号が所定の検出期間内に検出されなくなり、同期信号の内挿が開始された後の所定の条件下において、上記入力信号から連続して検出される各同期信号が正常なタイミングで検出されているか否かについての判定を行うようにする。そして、この判定結果に応じ、入力信号から検出される同期信号と再生用同期信号との再同期動作を行うようにする。これにより、同期信号が内挿されることによって本来期待されたタイミングとは異なった同期信号が使用されている状態を直ちに解消できるようになる。【選択図】　　　　図４
2004056432.tif 000002
【特許請求の範囲】
【請求項１】
所定のフォーマットに従ってフレーム単位により形成される信号を入力し、上記フレーム内に挿入される同期信号を検出する同期信号検出手段と、
上記同期信号検出手段が、所定の検出期間内に同期信号を検出できなかったときに、該同期信号検出手段により検出されていた同期信号の検出タイミングに応じて生成した同期信号を再生用同期信号として内挿する内挿手段と、
上記内挿手段による同期信号の内挿が開始された後における所定の条件下で、上記同期信号検出手段により連続して検出される同期信号が正常なタイミングであるか否かについての判定を行う判定手段と、
上記判定手段の判定結果に応じて、上記同期信号検出手段により検出される同期信号を再生用同期信号として出力する再同期手段と、
を備えることを特徴とする同期信号検出装置。
【請求項２】
上記判定手段は、
上記同期信号検出手段により連続して検出される同期信号についての検出タイミングの間隔を測定すると共に、この検出タイミングの間隔が、入力信号のフォーマットに基づく所定の間隔と所定回数以上連続して一致するか否かを判別することにより、上記各同期信号が正常なタイミングであるか否かについての判定を行うように構成されている、
ことを特徴とする請求項１に記載の同期信号検出装置。
【請求項３】
所定のフォーマットに従ってフレーム単位により形成される信号を入力し、上記フレーム内に挿入される同期信号を検出する同期信号検出手順と、
上記同期信号検出手順により、所定の検出期間内に同期信号を検出できなかったときに、該同期信号検出手順により検出されていた同期信号の検出タイミングに応じて生成した同期信号を再生用同期信号として内挿する内挿手順と、
上記内挿手順による同期信号の内挿が開始された後における所定の条件下で、上記同期信号検出手順により連続して検出される同期信号が正常なタイミングであるか否かについての判定を行う判定手順と、
上記判定手順の判定結果に応じて、上記同期信号検出手順により検出される同期信号を再生用同期信号として出力する再同期手段と、
を実行することを特徴とする同期信号検出方法。
【発明の詳細な説明】
【０００１】
【発明の属する技術分野】
本発明は、同期信号検出装置、及びこの同期信号検出装置における同期信号検出方法に関するものである。
【０００２】
【従来の技術】
例えば、ＣＤ（Ｃｏｍｐａｃｔ　ｄｉｓｃ）やＤＶＤ（Ｄｉｇｉｔａｌ　Ｖｅｒｓａｔｉｌｅ　Ｄｉｓｃ）等の光ディスクには，ＥＦＭ（Ｅｉｇｈｔ　ｔｏ　Ｆｏｕｒｔｅｅｎ　Ｍｏｄｕｌａｔｉｏｎ）変調、又はＥＦＭ＋変調等の記録符号化変調が施された所定のフォーマットのデジタルデータが記録される。そして、このようなフォーマットでは、デジタルデータを所定のシンクパターンを含んだフレーム単位のシーケンスによってディスクへの記録を行うようにされる。
【０００３】
このため、上記光ディスクについての再生を行う装置側では、読み出したデジタルデータに含まれる所定のシンクパターン（フレーム同期信号）を検出する同期検出回路を設けることにより、それぞれのフレームの区分を認識するようにされる。そして、これにより、光ディスクから読み出したデジタルデータを適正に再生することができるようにされる。
【０００４】
ここで、上記のような光ディスク再生装置において、装填された光ディスクの読み取り面上に傷や付着物があった場合には、読み出したデジタルデータに含まれるシンクパターンを検出することができなくなることがある。そして、これに伴っては、各フレームの区分を正しく認識することが困難となり、読み出したデジタルデータを適正に再生できなくなってしまう可能性がある。
【０００５】
このような場合、再生装置側では、上記のようなディスク上の傷等によって再生ＲＦ信号の振幅レベルが所定値以上得られない状態（所謂デフェクト（ＤＥＦＥＣＴ）状態）を検出するようにされる。そして、このようにデフェクト状態を検出することにより、ディスクからのデータ読み出しが正確に行われ得ない状態にあることを各部に認識させるようにし、これに応じた必要な制御動作を行うようにされている。
【０００６】
ところで、光ディスク再生装置においては、上記のようなディスク上の傷等が要因となるデフェクト状態の発生までは至らないまでも、ＰＬＬ（Ｐｈａｓｅ　ＬｏｃｋｅｄＬｏｏｐ）の乱れやビット欠けにより、本来のフレームシンクではないデータ部分においてシンクパターンと同一の信号パターンが検出されてしまうことがある。
【０００７】
このため，光ディスク再生装置内の同期検出回路では，本来のシンクパターンが現れると予測されるタイミングの前後となる一定期間のみ、シンク検出を行うようにしている。
すなわち、ウィンドウ信号と呼ばれる、本来のシンクパターンが現れると予測されるタイミングに同期した信号を発生するようにし、このウィンドウ内において検出されたシンクパターンのみを正しいフレームシンクとして認識しようとするものである。
そして、これにより、誤検出された擬似的なシンクパターンが再生処理用のシンクとして使用されてしまうことを防止している。
【０００８】
また、これと共に光ディスク再生装置においては、上述したデフェクト状態が検出されてフレームシンクが検出できない場合（シンク欠落）や、上記ウィンドウ内にフレームシンクが検出されない場合等に、フレームシンクを補間する（内挿する）保護回路も設けられており、上記同期検出回路と組み合わせて使用される。
すなわち、上記のようなシンク欠落やシンクパターンの検出位置がずれた場合、読み出したデータからのフレームシンクを用いることはできないため、適正であると予想されるタイミングでフレームシンクを内挿する（内挿シンク）ようにしたものである。
この動作は、いわゆる前方保護動作と呼ばれる。
【０００９】
このような前方保護動作により、一時的なシンクの欠落やずれは保護可能であるが、このような欠落やずれが連続的な場合には、再生用シンク（つまりここでは内挿シンク）とデータ再生用に本来期待されたシンク位置との間に相違が生じてしまっている可能性があり、正常にデータ再生を行えない場合がある。
【００１０】
このため、上記保護回路においては、前述したウィンドウ内に検出シンクが現れなかった回数をカウントするようにし、このカウント値がある一定回数（前方保護回数）に達したときに、ウィンドウをオープンしてウィンドウ信号のタイミングを検出シンクのタイミングに同期させるようにしている。
そして、このようなシンクの再同期動作を行うことで、上記内挿シンクのタイミングと実際にディスクに記録されているフレームシンクとの間に生じていたずれを解消することができるようになる。
【００１１】
上記説明したような同期検出回路及び保護回路によって得られる動作を、図６のタイミングチャートを用いて説明する。
なお、この図においては、上記保護回路における前方保護回数が、図示するように１０回に設定される場合を例として説明する。
先ず、この図において、図示する時点ｔ１より以前の期間は、図６（ｃ）に示す信号ＷＩＮＤＯＷがＨとなる期間内に、図６（ｂ）に示す検出シンクが検出されており、この期間は正常なタイミングでフレームシンクが検出されている状態となっている。つまり、信号ＷＩＮＤＯＷは、Ｈレベルの期間をウィンドウ期間として設定する、所謂ウィンドウ保護のための信号である。
そして、この状態では、図６（ｇ）に示す再生用シンクが、上記検出シンクのタイミングに同期している状態となる。
【００１２】
この状態から、ディスク上の傷等により再生ＲＦ信号の振幅レベルが所定値以下となり、図中時点ｔ１において、図６（ａ）に示す信号ＤＥＦＥＣＴがＨレベルに立ち上がったとする。そして、これと共に、この時点ｔ１以降において図中期間「Ａ」と示したウィンドウ内にシンクが検出されなくなったとする。
すると、これに応じては、このように検出シンクが現れなかったウィンドウの立ち下がりタイミングである時点ｔ２に同期するようにして、図６（ｅ）に示す前方保護カウント値のカウントが開始される。これにより、ウィンドウ内にシンクが検出されなかった回数についてのカウントが開始されるようになる。
また、上記のようにしてウィンドウ内に検出シンクが検出されなくなったことに応じては、上述したようにしてシンクが内挿されるようになり、再生用シンクとしては、図示するようにこの内挿シンクが出力されるようになる。
【００１３】
ここで、この時点ｔ２以降の期間において、図のように信号ＤＥＦＥＣＴがＬレベルとなってデフェクト状態を通過したとされた後、図示する時点ｔ３にて再びフレームシンクが検出されるようになったとする。また、この際、このようにして再び検出されたフレームシンクが、デフェクト期間通過後に、図のようにウィンドウ外となるタイミングでもって検出されたとする。
この場合、上記のようにデフェクト状態通過後に再び検出されたシンクは、先に説明した前方保護動作が行われることにより、前方保護回数（前方保護カウント値）が所定回数以上となるまでは再生シンクとしては使用されない。
つまり、この場合、上記前方保護回数として１０回が設定されているため、図６（ｅ）に示す前方保護カウント値が「１０」となるまでは、図６（ｄ）、図６（ｇ）を参照してわかるように、内挿シンクが使用されることとなる。
【００１４】
前方保護カウント値が「１０」に達すると、図示するようにカウント値が「１０」となった時点の直後の信号ＷＩＮＤＯＷの立ち上がりタイミングでもって、図６（ｆ）に示す信号ＷＩＮＤＯＷ−ＯＰＥＮがＨレベルとなる。そして、これに伴い、前方保護カウント値が「１０」となった直後のウィンドウがオープンとなり、図示する時点ｔ４において、信号ＷＩＮＤＯＷが検出シンクに同期するようになる。
これにより、検出シンクがウィンドウ内に検出されるようになり、図６（ｇ）に示す再生シンクとして、再び検出シンクが使用されるようになる。すなわち、これによりシンクの再同期が完了したこととなる。
【００１５】
なお、ここでは図示しなかったが、上記同期検出回路、及び保護回路による実際の動作としては、上記のようにして再検出後のシンクがウィンドウ内に一致せず、前方保護回数を超えてシンクが再同期された後において、いわゆる後方保護動作と呼ばれる動作を加えて行うようにもされている。
すなわち、再同期後の検出シンクがウィンドウ内に検出される回数を上記前方保護動作と同様にカウントし、そのカウント値がある一定値になった時、現在の検出シンクがデータ再生用シンクとして正しい位置であることを確認するものである。そして、これにより、誤った検出シンクが再生用シンクに使用されることを回避するものである。
【００１６】
【発明が解決しようとする課題】
このようにして、従来の前方保護動作によっては、上記のようにしてデフェクト状態の解消後に再検出されたフレームシンクがウィンドウ外に検出された場合は、前方保護回数に対応した回数分内挿シンクを内挿することになる。
【００１７】
ここで、図６に示した時点ｔ３以降において、デフェクト通過後に再検出されるようになった各フレームシンクとしては、例えばウィンドウ外において検出されはするものの、これらが正常な間隔で以て検出されているという場合が考えられる。
つまり、このようにしてデフェクト状態の解消後において再検出されるようになった各フレームシンクが、再生用シンクとして適切とされるタイミングで以て得られている可能性もある。
【００１８】
しかしながら、上記説明によれば、従来の前方保護動作によっては、前方保護回数に対応した回数分内挿シンクを内挿するまではシンクの再同期を行わないようにされている。このため、上記のようにして再検出されるようになった各フレームシンクが適正なタイミングで検出されていたとしても、このシンクに直ちに再同期することができないこととなる。
【００１９】
従って、この場合は、正確にフレームシンクが検出されていたとしても、シンクが再同期されるまでの間、データ再生用シンクとして本来期待されたシンク位置とは異なった内挿シンクを使用してデータ再生が行なわれてしまうこととなる。
つまり、従来の前方保護動作を行うことによっては、かえってデータ読み出しパフォーマンスを低下させてしまう場合がある。
【００２０】
【課題を解決するための手段】
そこで、本発明では以上のような問題点に鑑み、同期信号検出装置として以下のように構成することとした。
すなわち、先ず、所定のフォーマットに従ってフレーム単位により形成される信号を入力し、上記フレーム内に挿入される同期信号を検出する同期信号検出手段と、上記同期信号検出手段が、所定の検出期間内に同期信号を検出できなかったときに、該同期信号検出手段により検出されていた同期信号の検出タイミングに応じて生成した同期信号を再生用同期信号として内挿する内挿手段とを設けるようにする。
そして、上記内挿手段による同期信号の内挿が開始された後における所定の条件下で、上記同期信号検出手段により連続して検出される同期信号が正常なタイミングであるか否かについての判定を行う判定手段と、上記判定手段の判定結果に応じて、上記同期信号検出手段により検出される同期信号を再生用同期信号として出力する再同期手段とを備えるようにした。
【００２１】
また、本発明では、同期信号検出方法として以下のようにすることとした。
すなわち、所定のフォーマットに従ってフレーム単位により形成される信号を入力し、上記フレーム内に挿入される同期信号を検出する同期信号検出手順と、上記同期信号検出手順により、所定の検出期間内に同期信号を検出できなかったときに、該同期信号検出手順により検出されていた同期信号の検出タイミングに応じて生成した同期信号を再生用同期信号として内挿する内挿手順とを実行し、さらに、上記内挿手順による同期信号の内挿が開始された後における所定の条件下で、上記同期信号検出手順により連続して検出される同期信号が正常なタイミングであるか否かについての判定を行う判定手順と、上記判定手順の判定結果に応じて、上記同期信号検出手順により検出される同期信号を再生用同期信号として出力する再同期手段とを実行することとした。
【００２２】
上記本発明によれば、入力信号からの同期信号が所定の検出期間内に検出されなくなり、同期信号の内挿が開始された後の所定の条件下において、上記入力信号から連続して検出される同期信号が正常なタイミングで検出されているか否かについての判定が行われる。
そして、この判定結果に応じて、入力信号から検出される同期信号と再生用同期信号との再同期動作が行われるようになる。
つまり、本発明によっては、同期信号の内挿が開始された後の所定の条件下において、入力信号から連続して検出される各同期信号が正常なタイミングで以て検出されている状態が得られるのに応じて、検出された同期信号を利用した再同期動作を行うことが可能となるものである。
【００２３】
【発明の実施の形態】
以下、本発明の同期信号検出装置が、ディスク記録媒体に記録されているデジタルデータについての再生を行うことのできるディスク再生装置に適用される場合を例に挙げる。
図１は、本発明の実施の形態としての同期信号検出装置が適用されるディスク再生装置０の構成を示している。この図に示すディスク再生装置０は、ＤＶＤフォーマットの光ディスクとしての、例えばＤＶＤ−Ｒ、ＤＶＤ−ＲＷ、ＤＶＤ−ＲＡＭ等の記録可能なディスクに対応してデータの再生が可能な構成を採る。
【００２４】
この図において、ディスク１は、再生動作時においてスピンドルモータ２によって所定の回転制御方式（ＣＡＶ（Ｃｏｎｓｔａｎｔ　Ａｎｇｕｌａｒ　Ｖｅｌｏｃｉｔｙ），ＣＬＶ（Ｃｏｎｓｔａｎｔ　Ｌｉｎｅａｒ　Ｖｅｌｏｃｉｔｙ），ＺＣＬＶ（Ｚｏｎｅｄ　Ｃｏｎｓｔａｎｔ　Ｌｉｎｅａｒ　Ｖｅｌｏｃｉｔｙ）など）により回転駆動される。そして光学ヘッド３によってディスク１上のトラックに記録されたピットデータやトラックのウォブリング情報の読み出しがおこなわれる。グルーブ、又はランドとして形成されているトラック上にデータとして記録されるピットはいわゆる色素変化ピット又は相変化ピットである。
【００２５】
上記のようにしてディスク１からのデータ読み出し動作を行うため、光学ヘッド３はレーザ出力を行うレーザダイオード３ｃや、偏光ビームスプリッタ、１／４波長板などから構成される光学系３ｄ、レーザ出力端となる対物レンズ３ａ、及び反射光を検出するためのディテクタ３ｂなどが備えられている。
対物レンズ３ａは２軸機構４によってディスク半径方向（トラッキング方向）及びディスクに接離する方向に変移可能に保持されており、また、光学ヘッド３全体はスレッド機構５によりディスク半径方向に移動可能とされている。
【００２６】
上記した光学ヘッド３の再生動作により、ディスク１から検出された情報はＲＦアンプ６に供給される。この場合、ＲＦアンプ６においては、入力された情報について増幅処理、及び所要の演算処理等を施すことにより、再生ＲＦ信号、トラッキングエラー信号、フォーカスエラー信号等を得る。
【００２７】
デフェクト（ＤＥＦＥＣＴ）検出回路２０は、上記ＲＦアンプ６より供給される再生ＲＦ信号の振幅レベルと、内部に設定される閾値とを比較し、上記振幅レベルが閾値以下となる場合を検出する。そして、再生ＲＦ信号の振幅レベルが閾値以下となったことを検出するのに応じ、後述する同期検出回路２１に対して信号ＤＥＦＥＣＴを出力する。
【００２８】
光学系サーボ回路１６では、ＲＦアンプ６から供給されたトラッキングエラー信号、フォーカスエラー信号、及びシステムコントローラ１８からのトッラクジャンプ指令、アクセス指令などに基づいて各種サーボ駆動信号を発生させ、２軸機構４及びスレッド機構５を制御してフォーカス及びトラッキング制御を行う
【００２９】
また、ＲＦアンプ６にて得られた再生ＲＦ信号は、図示する信号処理部７内の２値化回路８に供給されることで、ＥＦＭ＋方式（８／１６変調、ＲＬＬ（２，１０））により記録符号化された、いわゆるＥＦＭ＋信号の形式となって出力され、図のようにレジスタ９、ＰＬＬ／スピンドルサーボ回路１９に対して供給される。
また、トラッキングエラー信号、フォーカスエラー信号は光学系サーボ回路１２に供給される。
【００３０】
上記２値化回路８からレジスタ９を介してＥＦＭ＋デコード回路１０に供給されたＥＦＭ＋信号は、ここでＥＦＭ＋復調される。
このＥＦＭ＋デコード回路１０は、入力されたＥＦＭ＋信号についての復調処理を、後述する検出回路２１から出力される再生用シンク、及び図示するＰＬＬ／スピンドルサーボ回路１９より供給されるＰＬＣＫに応じたタイミングで実行する。
【００３１】
ここで、上記のようにしてＥＦＭ＋デコード回路１０に供給されるＥＦＭ＋信号としては、図３に示すような構造を有している。
つまり、上記ＥＦＭ＋信号は、この図に示すようにして、１ｒｏｗが、２つのフレームの連続により形成されたうえで、１３ｒｏｗｓの集合により成る。
また、１つのフレームは、図のように１８２バイト（１４５６ビット）のデータフレームに対して、３２ビットのＳＹ０〜ＳＹ７の何れかのシンクパターン（同期信号）が先頭に付加される構造を有する。従って、このＥＦＭ＋信号としては、上記フレームシンクを含んだ１フレームを構成するチャネルビット数が、１４８８チャネルビット（１４８８Ｔ）であることになる。
【００３２】
上記ＥＦＭ＋デコード回路１０によりＥＦＭ＋復調されたデータは、ＥＣＣ／デインターリーブ処理回路１１に供給される。ＥＣＣ／デインターリーブ処理回路１１では、ＲＡＭ１２に対してデータの書き込み及び読み出し動作を所定タイミングで行いながらエラー訂正処理及びデインターリーブ処理を実行していく。ＥＣＣ／デインターリーブ処理回路１２によりエラー訂正処理及びデインターリーブ処理が施されたデータは、後述するバッファマネージャ１３に対して供給される。
【００３３】
ＰＬＬ／スピンドルサーボ回路１９では、２値化回路８から供給されたＥＦＭ＋信号を入力してＰＬＬ回路を動作させることにより、ＥＦＭ＋信号に同期した再生クロックとしての信号ＰＬＣＫを出力する。この信号ＰＬＣＫは、マスタークロックとして、信号処理部７内における処理基準クロックとなる。従って、信号処理部７の信号処理系の動作タイミングは、スピンドルモータ２の回転速度に追従したものとなる。
【００３４】
モータドライバ１７は、ＰＬＬ／スピンドルサーボ回路１９から供給された、例えばスピンドルサーボ制御信号に基づいてモータ駆動信号を生成してスピンドルモータ２に供給する。これにより、スピンドルモータ２は、所定の回転制御方式に従った適正な回転速度が得られるようにディスクを回転駆動する。
【００３５】
同期検出回路２１では、ＰＬＬ／スピンドルサーボ回路１９から入力される信号ＰＬＣＫを基準クロックとして、レジスタ９を介して供給されるＥＦＭ＋信号からフレームシンク（フレーム同期信号）を検出するための動作を行う。
また、この同期検出回路２１では、ドロップアウトやジッターの影響でデータ中のシンクパターンが欠落したり、同じシンクパターンが検出されたりした場合のために、後述するようにしてフレームシンクの内挿処理及びウィンドウ保護等の処理も実行するようにされている。
なお、この同期検出回路２１の内部構成については後述する。
【００３６】
前述のようにして信号処理部７のＥＣＣ／デインターリーブ処理回路１１から出力されたデータは、バッファマネージャ１３に対して供給される。
バッファマネージャ１３では、供給される再生データをバッファＲＡＭ１４に一時蓄積させるためのメモリ制御を実行する。このディスク再生装置０からの再生出力としては、バッファＲＡＭ１４にバファリングされているデータが読み出されて転送出力されることになる。
【００３７】
インターフェイス部１５は、外部のホストコンピュータ５０と接続され、ホストコンピュータ５０との間で再生データや各種コマンド等の通信を行う。
この場合、バッファマネージャ１３がバッファＲＡＭ１４に一時蓄積させた再生データから必要量の読み出しを行い、インターフェイス部１５に対して転送するようにされる。そして、インターフェイス部１５では、転送されてきた再生データを、例えば所定のデータインターフェイスフォーマットに従ってパケット化などの処理を行って、ホストコンピュータ５０に対して送信出力することになる。
なお、ホストコンピュータ５０からのリードコマンド、ライトコマンドその他の信号はインターフェイス部１５を介してシステムコントローラ１８に供給される。
【００３８】
システムコントローラ１８は、マイクロコンピュータ等を備えて構成され、当該再生装置を構成する各機能回路部が実行すべき所要の動作に応じて適宜制御処理を実行する。
【００３９】
なお、この図１では、ホストコンピュータ５０に接続されるディスク再生装置０としたが、本発明の再生装置としてはホストコンピュータ５０等と接続されない形態もあり得る。その場合は、操作部や表示部が設けられたり、データ入出力のインターフェイス部位の構成が、図１とは異なるものとなる。つまり、ユーザーの操作に応じて再生が行われるとともに、各種データの入出力のための端子部が形成されればよい。
【００４０】
ここで、前述した同期検出回路２１について、その内部構成を図２のブロック図に示す。
図２において、同期検出回路２１は、図示するようにフレームシンク検出回路２２、ウィンドウ生成回路２３、内挿シンク生成回路２４、シンク判定回路２５、前方保護カウンタ２６、エッジ検出回路２７、ビットカウンタ２８、一致回数カウンタ２９、ウィンドウオープン信号生成回路３０を有して構成されている。
【００４１】
先ず、フレームシンク検出回路２２には、図１において説明した２値化回路８により生成されたＥＦＭ＋信号が、レジスタ９を介して供給される。
このフレームシンク検出回路２２は、入力されるＥＦＭ＋信号から、先に図３に示したようなフレームシンクの先頭に配される３２ビットのシンクパターンを検出する。そして、この検出シンク（ＳＹＮＣ・Ｄ）は、図のようにウィンドウ生成回路２３、内挿シンク生成回路２４、シンク判定回路２５、及びビットカウンタ２８に対して出力される。
【００４２】
ウィンドウ生成回路２３は、上記フレームシンク検出回路２２により検出されたフレームシンクに基づき、シンク検出タイミングとしてのウィンドウ期間を設定するための信号ＷＩＮＤＯＷを生成する。
この信号ＷＩＮＤＯＷとしては、Ｈレベルとする期間がウィンドウ期間となるようにして生成される。
【００４３】
内挿シンク生成回路２４は、フレームシンク欠落時や、フレームシンクが信号ＷＩＮＤＯＷがＨレベルとなる期間外で検出された場合に再生用シンクを補間するための、内挿シンクを生成する。この内挿シンク生成回路２４は、上記フレームシンク検出回路２２より供給される検出シンクのタイミングに同期した内挿シンクＳＹＮＣ・Ｉを生成する。
【００４４】
シンク判定回路２５は、フレームシンク検出回路２２により供給される検出シンクＳＹＮＣ・Ｄと、上記ウィンドウ生成回路２３より供給される信号ＷＩＮＤＯＷとを比較することにより、フレームシンクがウィンドウ内に検出されているか否かの判別を行う。
このシンク判定回路２５は、フレームシンクがウィンドウ内において検出されていると判別した場合、検出されたフレームシンクを、再生用シンクとして出力する。
また、これと共にこのシンク判定回路２５は、このようにフレームシンクがウィンドウ内において検出されるのに応じ、後述するビットカウンタ２８、及び一致回数カウンタ２９の動作状態をリセットするためのリセット信号ＲＳＴを出力する。
一方、フレームシンクがウィンドウ内において検出されなかったと判別した場合は、上記内挿シンク生成回路２４より供給される内挿シンクＳＹＮＣ・Ｉを再生用シンクとして出力するようにされる。
そして、これと共にシンク判定回路２５は、フレームシンクがウィンドウ内において検出されなかったことに応じ、次に説明する前方保護カウンタ２６に対し、カウント値を１インクリメントさせるための信号を供給する。
【００４５】
前方保護カウンタ２６は、上記シンク判定回路２５の判定結果に基づき、フレームシンクがウィンドウ内において検出されなかった回数をカウントする。そして、このカウント値と、前方保護回数として内部に設定されている値とが一致するのに応じ、ウィンドウオープン信号生成回路３０に対して信号ＷＩＮＤＯＷ−ＯＰＥＮの出力を指示するための信号を出力するようにされる。
この前方保護カウンタ２６におけるカウント値は、上記のようにして信号ＷＩＮＤＯＷ−ＯＰＥＮの出力を指示したとき、及びシンクの再同期が行われたときにリセットされる。
なお、この場合の上記前方保護回数としては、例えば１０回が設定されているとする。
【００４６】
エッジ検出回路２７には、図１に示したデフェクト検出回路２０から信号ＤＥＦＥＣＴが供給される。
このエッジ検出回路２７は、供給される信号ＤＥＦＥＣＴの、例えば立ち下がりエッジを検出することにより、デフェクト状態が解消された時点を検出ようにされる。
このエッジ検出回路２７による検出出力は、ビットカウンタ２８に供給される。
【００４７】
ビットカウンタ２８は、デフェクト状態の解消後、フレームシンク検出回路２２において検出される各フレームシンクのビット間隔についてのカウントを行う。また、このように再検出された各シンクがフォーマットで規定された正しい間隔で得られているかを検出する。
すなわち、先ず、上記エッジ検出回路２７によりデフェクト信号の立ち下がりエッジが検出され、且つフレームシンク検出回路２２よりフレームシンクが検出されるのに応じ、カウント動作を開始する。そして、再びフレームシンクが検出されるまでのビット数をカウントし、このカウント値と、内部に設定されている所定の比較参照値との一致を検出する。
本実施の形態の場合、ここでは先に図５に示したようなＤＶＤフォーマットに規定されるビット間隔との一致を検出するようにされるため、このようにしてビットカウンタ２８に設定される比較参照値としては、図示するように「１４８８」とされる。
なお、このビットカウンタ２８は、フレームシンク検出回路２２によりシンクが検出されるのに応じて、カウント値をリセットした上でカウントを開始するように動作する。
また、このビットカウンタ２８は、前述したようにしてフレームシンクがウィンドウ内において検出されるのに対応してシンク判定回路２５からリセット信号ＲＳＴが入力されると、動作状態をリセットするようにされる。つまり、エッジ検出回路２７からの検出出力が入力され、且つ検出シンクが入力されるまで、カウント値をリセットした状態で待機するようにされるものである。
【００４８】
一致回数カウンタ２９は、上記ビットカウンタ２８による検出出力を元に、デフェクト状態の解消後において再検出されたシンクが、フォーマットで規定された正しい間隔でもって何回連続して得られたかについてカウントする。そして、このカウント値が内部に設定されている所定の最大値以上となった場合は、信号ＷＩＮＤＯＷ−ＯＰＥＮの出力を指示するための信号をウィンドウオープン信号生成回路３０に対して出力する。ここでは、上記最大値として例えば「２」を設定していることとする。
なお、この一致回数カウンタ２９は、上記のようにして信号ＷＩＮＤＯＷ−ＯＰＥＮの出力を指示するための信号をウィンドウオープン信号生成回路３０に対して出力すると、カウント値をリセットする。
また、この一致回数カウンタ２９は、フレームシンクがウィンドウ内において検出されるのに対応してシンク判定回路２５からリセット信号ＲＳＴが入力される事に応じても、カウント値をリセットする。
【００４９】
ウィンドウオープン信号生成回路３０は、上記前方保護カウンタ２６、又は上記一致回数カウンタ２９からの指示信号に基づき、ウィンドウをオープンするための信号ＷＩＮＤＯＷ−ＯＰＥＮをウィンドウ生成回路２３に対して出力する。
【００５０】
上記のようにして構成される同期検出回路２１において得られる動作を、次の図４に示すタイミングチャートを用いて説明する。
先ず、この図において、図４（ａ）に示す信号ＤＥＦＥＣＴは、図１に示すデフェクト検出回路２０により生成されるものであり、デフェクト状態が検出されている間は、図のようにＨレベルが出力されるものとなる。
また、図４（ｂ）に示す検出シンクＳＹＮＣ・Ｄは、上記フレームシンク検出回路２２により生成される信号であり、フレームシンクが検出されたタイミングに応じてＨレベルのパルスが得られる。
図４（ｃ）に示す信号ＷＩＮＤＯＷは、上記したようにウィンドウ生成回路２３により生成される信号であって、図示するようにＨレベルとなる期間がウィンドウ期間とされ、このウィンドウ期間において検出された検出シンクＳＹＮＣ・Ｄのみが再生用シンクとして有効となる。
【００５１】
図４（ｄ）の内挿シンクＳＹＮＣ・Ｉは、内挿シンク生成回路２４により生成される信号である。
また、図４（ｅ）は前方保護カウンタ２６の値であり、ここではカウント値がインクリメントされるタイミングが示される。
さらに、図４（ｆ）に示す信号ＷＩＮＤＯＷ−ＯＰＥＮは、上記ウィンドウオープン信号生成回路３０により生成される信号であり、また、図４（ｇ）に示す再生用シンクは、シンク判定回路２５より出力される信号である。
【００５２】
この図４において、先ず、図示する時点ｔ１より以前の期間では、図中にウィンドウ期間として示した信号ＷＩＮＤＯＷがＨレベルとなる期間内において、検出シンクＳＹＮＣ・ＤがＨレベルとなっており、この期間はフレームシンク検出回路２２により正常にフレームシンクが検出されている状態となっている。
また、この状態では、シンク判定回路２５により検出シンクが出力されるようになるため、ＥＦＭ＋デコード回路１５に供給される再生用シンクとしては、図示するように上記検出シンクＳＹＮＣ・Ｄのタイミングに同期する。
【００５３】
ここで、図中時点ｔ１において、例えばディスク上の傷等により再生ＲＦ信号の振幅が所定値以下となり、デフェクト検出回路２０によりデフェクト状態が検出されたとする。そして、これと共に、この時点ｔ１直後の期間Ａで示すウィンドウ期間において、フレームシンク検出回路２２によりフレームシンクが検出されなくなったとする。
すると、これに応じては、再生用シンクを補間するために、シンク判定回路２５により、内挿シンク生成回路２４において生成される内挿シンクＳＹＮＣ・Ｉが出力されるようになる。つまり、この時点より、前方保護動作が開始されるようになるものである。
また、これと共に、上記シンク判定回路２５によっては、前方保護カウンタ２６に対してカウント値を１インクリメントするための動作が行われ、これに応じ、図示するように時点ｔ２において前方保護カウンタ２６の値が「１」となる。
この前方保護カウンタ２６の値は、以降もウィンドウ期間においてフレームシンクが検出されない場合は、このシンク判定回路２５によりインクリメントされていくものとなる。
そして、この場合は、先に図２において説明したようにして前方保護回数としては「１０」回が設定されているため、上記のようなシンクの内挿動作は、このカウント値が「１０」となる時点まで行われるべきものとなる。
【００５４】
このようにしてウィンドウ内にフレームシンクが検出されなくなった時点ｔ２以降における時点ｔ３において、図のようにして信号ＤＥＦＥＣＴがＬレベルに立ち下がり、デフェクト状態が解消したとされる状態になったとする。
これに応じては、エッジ検出回路２７によりこの信号ＤＥＦＥＣＴの立ち下がりエッジが検出され、この検出出力がビットカウンタ２８に対して出力される。これにより、ビットカウンタ２８では、フレームシンク検出回路２２から検出シンクＳＹＮＣ・Ｄが入力されたときにビットカウントを開始するようにリセットされる。
【００５５】
ここで、図示する時点ｔ４において、フレームシンク検出回路２２により、再びフレームシンクが検出されるようになったとする。また、この際、このように再び検出されたフレームシンクが、図のようにウィンドウ外となるタイミングのものであったとする。
先ず、このようにして、デフェクト状態解消後に再び検出されたフレームシンクがウィンドウ外となるタイミングのものであった場合には、シンク判定回路２５による内挿シンクＳＹＮＣ・Ｉの出力は継続されることとなる。
つまり、このようにしてフレームシンクがウィンドウ期間に検出されない場合は、先に説明した前方保護動作が引き続き行われることにより、この場合は、図４（ａ）、図４（ｇ）を参照してわかるように、再生用シンクとして内挿シンクが継続して使用されるようになるものである。
【００５６】
また、これと共に、この時点ｔ４において、フレームシンク検出回路２２による検出出力（検出シンク）がビットカウンタ２８に入力されると、このビットカウンタ２８は、チャンネルクロック（信号ＰＬＣＫ）のタイミングでカウントを開始する。
そして、時点ｔ５において、図のように再びフレームシンクが検出されると、上記時点ｔ４において検出されたフレームシンクから、この時点ｔ５において検出されたフレームシンクまでのビット間隔がカウント値として得られるようになる。
【００５７】
このようにしてビットカウンタ２８によりカウントされたカウント値は、該ビットカウンタ２８内において、フォーマットで規定された正しいビット間隔を示す比較参照値と比較される。すなわち、この場合は、先に図２において説明したように、ＤＶＤフォーマットにより規定された１フレーム分のビット数「１４８８」と比較されるものである。
そして、例えばこの比較参照値と上記カウントしたカウント値との一致が検出された場合は、この検出出力が一致回数カウンタ２９に供給される。
【００５８】
この時点ｔ５において、ビットカウンタ２８では、検出されたフレームシンク間のビット数をカウントすると、カウント値がリセットされ、再びビット数のカウントが開始される。
そして、図示する時点ｔ６において、再びフレームシンクが検出された場合、ビットカウンタ２８では、上記と同様にしてこれらのフレームシンク間のビット数のカウント値と内部に設定された値「１４８８」との一致を検出するようにされる。
【００５９】
ここで、図示するようにして、上記時点ｔ４、時点ｔ５においてそれぞれ検出されたフレームシンクと、この時点ｔ５において検出されたフレームシンク及び時点ｔ６において検出されたフレームシンクとが、共に「１４８８」ビットの間隔で検出されたとする。
すると、先ず時点ｔ５においては、ビットカウンタ２８により、カウントしたフレームシンク間（ｔ４−ｔ５間）のビット数と内部の比較参照値「１４８８」との一致が検出され、この検出出力が一致回数カウンタ２９に対して供給される。そして、これに応じ、一致回数カウンタ２９のカウント値が１インクリメントされる。
そして、時点ｔ６においても同様に、このビットカウンタ２８により、フレームシンク間（ｔ５−ｔ６間）のビット数と上記比較参照値「１４８８」との一致を示す検出出力が、一致回数カウンタ２９に対して供給される。
【００６０】
このようにして、上記一致回数カウンタ２９に対し、ビットカウンタ２８からの検出出力が２度にわたって供給されることによっては、この一致回数カウンタ２９の連続一致回数の値「２」が、内部に設定された最大値「２」に達したことが検出されるようになる。
そして、これによっては、先に図２において説明したようにして、この検出出力がウィンドウオープン信号生成回路３０に供給され、ウィンドウ生成回路２３に対して信号ＷＩＮＤＯＷ−ＯＰＥＮが供給されるようになる。
【００６１】
このようにしてウィンドウ生成回路２３に対して信号ＷＩＮＤＯＷ−ＯＰＥＮが供給されることにより、図示するようにして、時点ｔ７において検出されるフレームシンクが、信号ＷＩＮＤＯＷのＨレベル期間（ウィンドウ期間）内に検出されるようになる。
そして、これに応じてはシンク判定回路２５においてウィンドウ内にフレームシンクが検出されたことが判別され、このシンク判定回路２５からは、検出シンクＳＹＮＣ・Ｄが出力されるようになる。
これにより、この時点ｔ７においては、図４（ｂ）、図４（ｇ）を参照してもわかるように、再生用シンクとして、フレームシンク検出回路２２により検出されたフレームシンクが使用されるようになり、シンクの再同期が行われることとなる。
【００６２】
このようにして、本実施の形態では、デフェクト解消後において検出されたフレームシンクが、「１４８８」ビット間隔で２回連続して検出された場合は、その時点でシンクの再同期を行うようにしたものである。
つまり、このようにしてデフェクト解消後において検出されたフレームシンクが、フォーマットで規定された正しいビット間隔で２回連続して得られていることが検出された場合は、適正なタイミングでフレームシンクが検出されているものとみなし、シンクの再同期を行うようにしたものである。
これにより、この場合は前方保護動作のみを行って、前方保護回数として設定される「１０」回に応じた回数分シンクを内挿する場合よりも、図示するようにより早くシンクの再同期を行うことができるようになる。
つまり、この場合は、再生用シンクとして、より早く本来期待されたタイミングのフレームシンクを使用することができるようになるもである。
【００６３】
続いて、上記図４において説明した動作について、図２に示した同期検出回路２１の各部において行われる信号処理動作の流れを、次の図５のフローチャートを用いて説明する。
先ず、この図５において、図示するステップＳ１０１より開始される処理動作は、上記図４において説明したような前方保護動作を実現するための処理動作である。
つまり、フレームシンクがウィンドウ内に検出されなくなった場合に、設定された前方保護回数に対応した回数分シンクを内挿する動作である。
【００６４】
このため、先ず図示するステップＳ１０１においては、フレームシンクがウィンドウ内において検出されなくなったことを監視するようにする。
つまり、シンク判定回路２５において、フレームシンク検出回路２１から供給される検出シンクＳＹＮＣ・Ｄ、及びウィンドウ生成回路２３から供給される信号ＷＩＮＤＯＷを比較することで、フレームシンクがウィンドウ内において検出されなくなったことを判別するものである。
そして、このようにしてフレームシンクがウィンドウ内において検出されなくなったことが判別された場合は、ステップＳ１０２に進む。
【００６５】
ステップＳ１０２においては、上記シンク判定回路２５が、内挿シンク生成回路２４により生成される内挿シンクＳＹＮＣ・Ｉを、再生用シンクとして出力する。
【００６６】
続くステップＳ１０３においては、上記ステップＳ１０１においてフレームシンクがウィンドウ内に検出されなかったのに応じ、上記シンク判定回路２５が、前方保護カウンタ２６の値を１インクリメントするための信号を出力する。そして、これに応じ、前方保護カウンタ２６では、カウント値を１インクリメントする。
【００６７】
ステップＳ１０４においては、前方保護カウンタ２６が、該前方保護カウンタの値が内部に前方保護回数として設定された値「１０」以上となったか否かを判別する。この前方保護カウンタ２６の値が前方保護回数以上となっていない場合は、ステップＳ１０１に進み、再びフレームシンクがウィンドウ内に検出されない状態か否かを判定する。
また、この前方保護カウンタ２６の値が前方保護回数以上となった場合は、信号ＷＩＮＤＯＷ−ＯＰＥＮを出力させるための信号をウィンドウオープン信号生成回路３０に対して供給し、後述するステップＳ１１０に進む。
【００６８】
ここで、図２において示した同期検出回路２１においては、上記ステップＳ１０１〜ステップＳ１０４までに示した前方保護動作のための処理動作に平行して、図示するステップＳ１０５以降の、シンクの検出間隔に基づいたシンクの再同期動作のための動作も行われる。
【００６９】
先ず、ステップＳ１０５においては、エッジ検出回路２７が、図１に示したデフェクト検出回路２０より供給される信号ＤＥＦＥＣＴの、例えば立ち下がりエッジを検出することにより、デフェクト状態が解消されたことを監視する。
そして、続くステップＳ１０６においては、フレームシンク検出回路２２により、フレームシンクが再び検出されたことを監視するようにする。
【００７０】
その上で、ステップＳ１０７においては、ビットカウンタ２８が、上記エッジ検出回路２７により検出出力されたデフェクト信号の立ち下がりエッジ、及び上記フレームシンク検出回路２２により検出出力された検出シンクに応じ、ビットカウントを開始するようにする。
そして、このビットカウンタ２８においては、先に説明したようにして、以降はフレームシンクが検出されるごとに、カウント値と内部に設定された比較参照値「１４８８」との一致を検出するようにする。さらに、このようなカウント値と比較参照値「１４８８」の一致が検出された場合は、この検出出力を一致回数カウンタ２９に対して供給する。
【００７１】
続くステップＳ１０８においては、再検出された各フレームシンクが、フォーマットにより規定された正しいビット間隔（１４８８Ｔ）で２回連続して得られたか否かを判別する。つまり、このステップＳ１０８の動作としては、一致回数カウンタ２９に対し、ビットカウンタ２８からの検出出力が２回連続して供給されたか否かに対応する。
このステップＳ１０８において、一致回数カウンタ２９に対してビットカウンタ２８からの検出出力が２回連続して供給されず、再検出された各フレームシンクが１４８８Ｔの正しいビット間隔で２回連続して得られていないとされた場合は、ステップＳ１０９に進み、シンクの再同期動作が行われたか否かを判別するようにされる。すなわち、前述した前方保護動作によりシンクの再同期が行われたか否かを判別する。
このステップＳ１０９における動作は、ビットカウンタ２８及び一致回数カウンタ２９が、シンク判定回路２５からのリセット信号ＲＳＴの供給を受けたか否かに対応するものである。
ここで、上記リセット信号ＲＳＴとは、先にも説明したように、フレームシンクがウィンドウ内において検出されるのに応じて、ビットカウンタ２８及び一致回数カウンタ２９の動作をリセットするための信号である。つまり、このリセット信号ＲＳＴとは、ビットカウンタ２８及び一致回数カウンタ２９のカウント動作が開始された後、例えばシンクの再同期動作が行われたことによりシンクがウィンドウ内に検出されるようになったときに、これらビットカウンタ２８及び一致回数カウンタ２９の動作をリセットするためのものとなる。
このステップＳ１０９において、シンクの再同期が未だ行われておらず、シンク判定回路２５よりリセット信号ＲＳＴが出力されていない場合は、ステップＳ１０８に進み、引き続き各フレームシンクが１４８８Ｔの正しいビット間隔で２回連続して得られているか否かを判別するようにされる。
また、シンクの再同期が行われ、上記シンク判定回路２５からのリセット信号ＲＳＴが出力された場合は、図示するようにしてステップＳ１０５に進む。
すなわち、この場合、ビットカウンタ２８としては、エッジ検出回路２７からの検出出力（Ｓ１０５）、及びフレームシンク検出回路２２からの検出シンクの供給（Ｓ１０６）を再び待機するようリセットされることとなる。また、同様に一致回数カウンタ２９としても、このようにシンク判定回路２５からのリセット信号ＲＳＴの供給を受け、カウント値がリセットされるようになる。
【００７２】
また、上記ステップＳ１０８において、再検出された各フレームシンクが１４８８Ｔの正しいビット間隔で２回連続して得られているとされた場合は、一致回数カウンタ２９が、信号ＷＩＮＤＯＷ−ＯＰＥＮを出力させるための信号をウィンドウオープン信号生成回路３０に対して供給し、ステップＳ１１０に進む。
【００７３】
ステップＳ１１０においては、ウィンドウオープン信号生成回路３０が、上記前方保護カウンタ２６、又は一致回数カウンタ２９より供給された信号に応じて、信号ＷＩＮＤＯＷ−ＯＰＥＮをウィンドウ生成回路２３に対して出力する。
【００７４】
続くステップＳ１１１においては、ウィンドウ生成回路２３が、上記供給されたＷＩＮＤＯＷ−ＯＰＥＮ信号に基づいてウィンドウをオープンし、フレームシンクがウィンドウ内において検出されるようにする。
そして、このようにフレームシンクがウィンドウ内において検出されるようになるのに応じて、シンク判定回路２５が、再生用シンクとして検出シンクＳＹＮＣ・Ｄを出力するようにする。
これによりシンクの再同期動作が行われるようになる。
【００７５】
ステップＳ１１１において、このようにしてシンクの再同期動作が実行されると、前方保護動作のための処理動作としては、図示するようにステップＳ１０１に進み、再びフレームシンクがウィンドウ内に検出されないことを監視するようにされる。また、一方の、シンクの検出間隔に基づいたシンクの再同期動作のための処理動作としては、図示するようにしてステップＳ１０５に進み、再び信号ＤＥＦＥＣＴの立ち下がりエッジが検出されるのを監視するようにされる。
【００７６】
このようにして、図２に示した同期検出回路２１の動作によっては、上記ステップＳ１０４において前方保護カウンタ２６の値が前方保護回数に達するか、或るいはステップＳ１０８において１４８８Ｔが２回連続して検出された場合に、ステップＳ１１０、ステップＳ１１１と処理動作が進められてシンクの再同期が行われるようになる。
そして、上記ステップＳ１０４にて前方保護カウンタ２６の値が前方保護回数に達するよりも、上記ステップＳ１０８における１４８８Ｔの２回連続一致の方が先に検出された場合には、前方保護動作により所定回数分シンクを内挿するよりも早く、ステップＳ１１１におけるシンクの再同期動作が行われるようになるものである。
なお、ここでの図示による説明は省略したが、このような同期検出回路２１における実際の動作としては、再同期後のシンク検出位置についての補償を行う、所謂後方保護動作を行うようにされている。
すなわち、再同期後において検出されたフレームシンクが、ウィンドウ内において検出された回数を前方保護動作同様にカウントするようにし、このカウント値が所定回数以上となるのに応じ、検出されたフレームシンクが正しいタイミングで以て得られていることを判別するようにするものである。
【００７７】
以上、本実施の形態としてのディスク再生装置０について説明した。
上述もしたように、本実施の形態のディスク再生装置０では、同期検出回路２１内に、ビットカウンタ２８が設けられる。
このビットカウンタ２８によっては、例えばデフェクト状態の解消後において、フレームシンク検出回路２２により再び検出されたフレームシンクがウィンドウ外において検出された場合に、このように再検出されるようになった各フレームシンクが、フォーマットで規定された正しいビット間隔でもって得られているか否かが判定されるようになる。
そして、このように再検出されるようになった各フレームシンクが、フォーマットに規定された正しいビット間隔でもって、例えば２回連続して得られた場合には、ウィンドウオープン信号生成回路３０により信号ＷＩＮＤＯＷ−ＯＰＥＮが出力され、これに応じてシンクの再同期動作が行われるようになる。
すなわち、再検出後の各フレームシンクが、上記のようにして正常なタイミングでもって検出されているとみなされる場合には、これら再検出されるようになったフレームシンクがウィンドウ外において検出されている場合にも、シンクの再同期を行うようにしたものである。
【００７８】
これにより本実施の形態のディスク再生装置０によっては、上記のようにして、再検出されるようになった各フレームシンクがフォーマットに規定された正しいビット間隔でもって２回連続して得られた場合に、直ちにシンクの再同期動作を行うことができるようになる。
そして、このような、各フレームシンクが正しいビット間隔でもって２回連続して得られた時点が、例えば前方保護動作が完了する以前であった場合には、従来よりも早くシンクの再同期動作を行うことができる。
【００７９】
すわなち、この場合、再生用シンクとして本来期待されたシンク位置とは異なっている可能性の高い内挿シンクが使用されている状態を、従来に比してより早く解消できるようになるものである。
【００８０】
なお、本実施の形態のディスク再生装置０において、図２に示した前方保護カウンタ２６に設定される前方保護回数、及び一致回数カウンタ２９において設定される連続一致回数としては、上記説明した回数に限定されるものではない。
【００８１】
また、本実施の形態では、ディスク再生装置０が、ＤＶＤフォーマットに対応する再生信号に対応したものである場合を例に挙げたが、本実施の形態のディスク再生装置０としては、これ以外にも、例えばＣＤ（Ｃｏｍｐａｃｔ　Ｄｉｓｃ）やＭＤ（Ｍｉｎｉ　Ｄｉｓｃ：光磁気ディスク）等の他のフォーマットに対応するようにされてもよい。
また、この場合、図２に示したビットカウンタ２８において一致を検出するビット数としては、対応するフォーマットにより規定される１フレーム分のチャンネルビット数（例えばＣＤフォーマットに対応するとされた場合は「５８８」）が設定されればよいものである。
【００８２】
また、本実施の形態では、シンクの検出間隔に基づいたシンクの再同期動作が、デフェクト状態の解消後においてフレームシンクが検出されるのに応じてのみ行われるようにしたが、このようなシンクの再同期動作としては、例えば、単にフレームシンクがウィンドウ外で検出されるのに応じて開始されるようにしてもよい。
すなわち、本実施の形態としてのシンクの再同期動作としては、単に、シンクの内挿動作の開始後に検出されるフレームシンクが、正常なタイミングで得られていることに応じてシンクの再同期を行うようにすればよいものであり、従って、このようなシンクの再同期動作の開始は、フレームシンクが正しいタイミングで検出されなくなったとされる、所要の条件に応じるようにすればよいものである。
【００８３】
また、本実施の形態では、本発明の同期信号検出装置が、ディスクからのデジタルデータを読み出してこれについての再生を行うディスク再生装置０に適用される場合を例に挙げた。
しかしながら、本発明の同期信号検出装置としては、このようなディスク再生装置以外にも、例えばデータ通信システムにおける送信装置から送信された、所定のフォーマットのデータについての受信処理を行う受信装置にも適用することができる。
例えば、上記受信装置側で受信したデータが、ストリーミング出力すべきオーディオデータや動画データなどである場合において、受信データに挿入されるフレーム同期信号に相当する信号の検出について本発明を適用することで、より良好なパフォーマンスによる受信データの再生出力が可能となるものである。
【００８４】
【発明の効果】
以上で説明したように本発明では、入力信号からの同期信号が所定の検出期間内に検出されなくなり、同期信号の内挿が開始された後の所定の条件下において、上記入力信号から連続して検出される同期信号が正常なタイミングであるか否かについての判定を行うようにしている。
そして、この判定結果に応じ、入力信号から検出される同期信号と再生用同期信号との再同期動作を行うようにしている。
つまり、本発明によっては、同期信号の内挿が開始された後の所定の条件下において、入力信号から連続して検出される各同期信号が正常なタイミングで以て検出されている状態が得られるのに応じ、検出された同期信号を利用した再同期動作を行うことができる。
【００８５】
これにより、上記のようにして入力信号から連続して検出される各同期信号が正常なタイミングで以て検出されている場合は、同期信号が内挿されていたことにより、本来期待されたタイミングとは異なる同期信号が再生用同期信号として使用されている状態を、直ちに解消できるようになる。
この結果、前方保護動作のみを行う場合に比べて、入力信号についての読み取りパフォーマンスの向上を図ることができるようになる。
【図面の簡単な説明】
【図１】本発明における実施の形態としての同期信号検出装置が適用される、ディスク再生装置の内部構成を示したブロック図である。
【図２】実施の形態としての同期信号検出装置の内部構成を示したブロック図である。
【図３】ＥＦＭ＋データのデータ構造を示すデータ構造図である。
【図４】実施の形態の同期信号検出装置により得られる動作を説明するためのタイミングチャートである。
【図５】実施の形態の同期信号検出装置により得られる動作を説明するためのフローチャートである。
【図６】従来の前方保護動作を説明するためのタイミングチャートである。
【符号の説明】
０　ディスク再生装置、１　ディスク、２　スピンドルモータ、３　光学ヘッド、３ａ　対物レンズ、３ｂ　ディテクタ、３ｃ　レーザダイオード、３ｄ　光学系、４　２軸機構、５　スレッド機構、６　ＲＦアンプ、７　信号処理部、８２値化回路、９　レジスタ、１０　ＥＦＭ＋デコード回路、１１　ＥＣＣ／デインターリーブ回路、１２　ＲＡＭ、１３　バッファマネージャ、１４　バッファＲＡＭ、１５　インターフェイス部、１６　光学系サーボ回路、１７　モータドライバ、１８　システムコントローラ、１９　ＰＬＬ／スピンドルサーボ回路、２０　デフェクト検出回路、２１　同期検出回路、２２　フレームシンク検出回路、２３　ウィンドウ生成回路、２４　内挿シンク生成回路、２５　シンク判定回路、２６　前方保護カウンタ、２７　エッジ検出回路、２８　ビットカウンタ、２９　一致回数カウンタ、３０　ウィンドウオープン信号生成回路
【図１】
2004056432.tif 000003
【図２】
2004056432.tif 000004
【図３】
2004056432.tif 000005
【図４】
2004056432.tif 000006
【図５】
2004056432.tif 000007
【図６】
2004056432.tif 000008